(57)【要約】【課題】リモート操作器から出力される信号光を受光する複数の信号光検出手段を備えた制御装置において，ある信号光検出手段にノイズ光が入射したときに他の信号光検出手段が既に信号光を受光中である場合でも，簡易な構成により，それら複数の信号光検出手段の出力信号の論理和信号に基づいて信号光に応じた処理を正常に実行できること。【解決手段】第１信号光検出素子１１が信号光Ｌ１を受光した場合に，第２信号光検出素子１２において，その受光部近傍でＬＥＤ３２を点灯させることによって，第２信号光検出素子１２内の光電変換信号である一次信号Ｖｓの強度を増強し，第２信号光検出素子１２内の自動ゲイン調節器ｃ３の自動ゲイン調節機能を利用して第２信号光検出素子１２の信号増幅ゲインを下げる。【選択図】図３
2009100310.tif 000002
【特許請求の範囲】
【請求項１】
リモート操作器から出力される変調された信号光を受光して該信号光を光電変換した一次信号を出力する光電変換手段と，前記一次信号の強度を可変のゲインで調節した二次信号を出力するとともに該二次信号の強度を目標強度に近づける方向に前記ゲインを所定範囲内において自動調節する二次信号強度調節手段と，前記二次信号の強度が所定強度以上である場合に該二次信号を復調して復調信号を出力する復調手段と，を具備してなる信号光検出手段が複数設けられ，複数の前記信号光検出手段から出力される前記復調信号に応じた処理を実行する制御装置であって，
複数の前記信号光検出手段のうちの１つ以上の特定の信号光検出手段について，該特定の信号光検出手段における前記二次信号強度調節手段が調節するゲインを他の１又は複数の前記信号光検出手段からの前記復調信号の出力に応じて下げるゲイン補正手段と，
複数の前記信号光検出手段の出力信号の論理和信号に応じた処理を実行する制御手段と，
を具備してなることを特徴とする制御装置。
【請求項２】
前記ゲイン補正手段が，
前記特定の信号光検出手段における前記光電変換手段の受光部近傍に設けられた光源と，該光源を他の１又は複数の前記信号光検出手段からの前記復調信号の出力に応じて点灯させる光源点灯回路と，を具備してなる請求項１に記載の制御装置。
【請求項３】
前記ゲイン補正手段が，
前記特定の信号光検出手段における前記二次信号強度調節手段がゲイン調節のために参照する前記二次信号の強度を他の１又は複数の前記信号光検出手段からの前記復調信号の出力に応じて増強させる信号増強手段である請求項１に記載の制御装置。
【請求項４】
前記ゲイン補正手段が，前記特定の信号光検出手段により前記復調信号が出力されていない場合にのみ，前記特定の信号光検出手段における前記二次信号強度調節手段が調節するゲインを他の１又は複数の前記信号光検出手段からの前記復調信号の出力に応じて下げるものである請求項１に記載の制御装置。
【請求項５】
前記ゲイン補正手段が，
前記特定の信号光検出手段における前記光電変換手段の受光部近傍に設けられた光源と，前記特定の信号光検出手段により前記復調信号が出力されていない場合にのみ，前記光源を他の１又は複数の前記信号光検出手段からの前記復調信号の出力に応じて点灯させる光源点灯回路と，を具備してなる請求項４に記載の制御装置。
【請求項６】
前記ゲイン補正手段が，
前記特定の信号光検出手段により前記復調信号が出力されていない場合にのみ，前記特定の信号光検出手段における前記二次信号強度調節手段がゲイン調節のために参照する前記二次信号の強度を他の１又は複数の前記信号光検出手段からの前記復調信号の出力に応じて増強させる信号増強手段である請求項４に記載の制御装置。
【請求項７】
請求項１〜６のいずれかに記載の制御装置を備えてなることと特徴とする映像表示装置。
【発明の詳細な説明】
【技術分野】
【０００１】
本発明は，リモート操作器から出力される信号光を受光し，その信号光に応じた処理を実行する制御装置及びそれを具備する映像表示装置に関するものである。
【背景技術】
【０００２】
従来，テレビジョン受像機や録画再生装置等の電子機器において，リモート操作器（いわゆるリモコン）から送信される赤外光の変調光である信号光は，電子機器の前面側の所定位置に配置された導光部から装置内に導入され，フォトトランジスタ等の光電変換手段を備えた信号光検出素子により，その信号光が光電変換されるとともに元の信号光（変調光）を復調した復調信号（電気信号）が信号光の検出信号として生成される。そして，マイクロコンピュータ等からなる制御部が，信号光検出素子の検出信号（復調信号）を入力し，その検出信号が表す符号（信号の変化パターン）が予め設定された複数の登録符号のいずれかに該当する場合に，その符号（登録符号）に対応づけられた処理，例えば，チャンネル選局処理や音量調節処理などを実行する。
一般に，信号光検出素子は，光電変換素子，信号強度調節回路及び復調回路を備えている。前記光電変換素子は，リモート操作器から出力される変調された信号光を受光してその信号光を光電変換した信号（以下，一次信号という）を出力するフォトトランジスタ等である。前記信号強度調節回路は，前記一次信号の強度を可変のゲインで調節した二次信号を出力するとともに，その二次信号の強度を目標強度に近づける方向にゲイン（増幅ゲイン）を所定範囲内において自動調節する回路であり，ＡＧＣ（Auto Gain Controller）などと称される。
以上のような構成を備えた信号光検出素子は，その受光部（光電変換素子）により受光される信号光の強度が変動しても，適切に信号光を検出する。
【０００３】
ところで，テレビジョン受像機等の映像表示装置においては，その前面における中央から縁部にかけての大部分が映像表示部（例えば，液晶表示パネル等）で占められるため，前記信号光検出素子は，映像表示部の周囲（例えば，下端近傍や上端近傍等）に配置されている。
また，大型の映像表示部（例えば，５０インチ以上）を備える映像表示装置においては，信号光検出素子が映像表示部の周囲の１箇所にしか存在しない場合，比較的近くでリモート操作器が操作されると，信号光の広がり角度の制約から，信号光が信号光検出素子によって受光されない（信号光が信号光検出素子に到達しない）事態が生じ得る。そこで，大型の映像表示部を備える映像表示装置においては，その映像表示部の周囲の複数箇所に信号光検出素子が設けられ，制御部が，それら複数の信号光検出素子の出力信号の論理和信号（合成信号）を入力し，その論理和信号の内容に応じた処理を実行する場合がある。これにより，信号光の受光範囲が広がるため，映像表示装置本体の近くでリモート操作器が操作された場合でも，少なくともいずれかの信号光検出素子で信号光を検出して正常に処理を実行できる。この場合，利用者によって操作されるリモート操作器の向きは，左右方向よりも上下方向において特にばらつきが大きいため，信号光検出素子を映像表示部の下端付近と上端付近とのそれぞれに配置されることが多い。
一方，特許文献１には，リモート操作器側から波長が異なる複数種類の信号光を出力し，それを受光する電子機器側において，複数種類の信号光を個別に検出する技術について示されている。
また，特許文献２には，複数の信号光検出素子それぞれについて，所定時間内に検出信号が出力されない場合に，制御部（マイコン）に入力させる信号を切り替えて選択する技術について示されている。
【特許文献１】特開２００３−８７８７３号公報
【特許文献２】特開２００４−４８４６３号公報
【発明の開示】
【発明が解決しようとする課題】
【０００４】
ところで，信号光検出素子は，リモコン操作器からの信号光以外のノイズ光を受光し，そのノイズ光に応じたノイズ信号を出力してしまう場合がある。即ち，信号光検出素子は，その受光部（光電変換素子）に比較的強い信号光が入射した場合には，前記信号強度調節回路の作用によってゲインが下がり，信号光以外のノイズ光に対応する信号成分が弱められ，信号光に対応した正常な検出信号を出力する。一方，信号光検出素子は，その受光部（光電変換素子）に，波長及び強度変化周波数が信号光の波長及び変調周波数に近いノイズ光が入射した場合，その強度が比較的弱くても，前記信号強度調節回路の作用によってゲインが上がり，ノイズ光に対応するノイズ信号を出力してしまう。例えば，インバータ式の冷陰極管（蛍光管）等の照明器具の光は，その赤外光の成分がリモート操作器から出力される信号光のノイズとなることが知られている。
【０００５】
図１３及び図１４は従来の制御装置の出力信号のタイムチャートである。なお，図１４は，図１３に示したタイムチャートの一部の時間軸を拡大したものである。
制御装置が２つの信号光検出素子を備える場合，一方の信号光検出素子がリモート操作器からノイズの影響の少ない信号光を受光すると，その一方の信号光検出素子の出力信号Ｓｇ１は，信号光を復調した正規の検出信号となる。また，一方の信号光検出素子が信号光を受光中に，他方の信号光検出素子がノイズ光（波長及び強度変化周波数が信号光の波長及び変調周波数に近い光）を受光すると，その他方の信号光検出素子の出力信号Ｓｇ２は，信号光の復調信号とは全く異なるノイズ信号となる。通常，このノイズ信号は，図１３に示されるように，単発的に出力される。そして，これら２つの信号光検出素子の出力信号Ｓｇ１，Ｓｇ２の論理和信号Ｓｇｏ（合成信号）はノイズを含んだ信号となる。図１２において波線の円で示される部分が，正規の検出信号に混入したノイズ信号である。このように，複数の信号光検出素子の出力信号の論理和信号Ｓｇｏ（合成信号）にノイズ信号が混入すると，制御部は正常な処理を実行できなくなるという問題点があった。特に，大型の映像表示部（例えば，５０インチ以上）を備える映像表示装置においては，映像表示部の上端付近に配置される信号光検出素子が天井の照明器具に近くなり，また，バックライト用の光源（冷陰極管）の輝度が高いため，室内照明やバックライト用の光源からのノイズ光が比較的高いパワーで混入し，上記問題点がより顕著となる。
【０００６】
上記問題点に対し，特許文献１に示される技術を採用し，リモート操作器側から一連の操作ごとに波長が異なる複数種類の信号光を出力し，その複数種類の信号光を電子機器側において個別に検出すれば，ノイズの影響のない信号光を選択して正常に処理を実行できる可能性が高まる。
しかしながら，波長が異なる複数種類の信号光を用いることは，信号処理に関する部品の増大や演算負荷の増大を招き，ひいてはコストや消費電力の増大を招くという実用上の問題点があった。特に，リモート操作器は，電池を電源とするため，複数種類の信号光を出力しなければならないとすると，電池寿命が大幅に短くなる不都合が生じる。また，制御部が，複数の信号光検出素子による複数の検出信号を個別に入力し，それらの中からノイズの影響のない正規の検出信号を選択する場合，制御部における信号入力ポートの数が増え，さらに，制御部における演算負荷が増大するとともにコスト増にもつながる。また，複数種類の信号光を出力するリモート操作器を採用する必要があり，既に普及している従来のリモート操作器を利用できないという問題点があった。
また，特許文献２に示される技術を採用した場合，リモート操作器が，検出信号の出力有無を検知するためのリーダ部とその他のデータ部とを含む特殊なデータを信号光として出力する必要があり，既に普及している従来のリモート操作器を利用できないという問題点があった。
従って，本発明は上記事情に鑑みてなされたものであり，その目的とするところは，リモート操作器から出力される信号光を受光する複数の信号光検出手段を備えた制御装置において，ある信号光検出手段にノイズ光が入射したときに他の信号光検出手段が既に信号光を受光中である場合でも，従来のリモート操作器を利用できる簡易な構成により，それら複数の信号光検出手段の出力信号の論理和信号に基づいて信号光に応じた処理を正常に実行できる制御装置及びそれを具備する映像表示装置を提供することにある。
【課題を解決するための手段】
【０００７】
上記目的を達成するために本発明に係る制御装置は，以下の（１）〜（３）に示す各構成要素を備えた信号光検出手段を複数備えている。
（１）リモート操作器から出力される変調された信号光を受光してその信号光を光電変換した一次信号を出力する光電変換手段。
（２）前記一次信号の強度を可変のゲインで調節した二次信号を出力するとともにその二次信号の強度を目標強度に近づける方向に前記ゲインを所定範囲内において自動調節する二次信号強度調節手段。
（３）前記二次信号の強度が所定強度以上である場合にその二次信号を復調して復調信号を出力する復調手段。
さらに，本発明に係る制御装置は，複数の前記信号光検出手段から出力される前記復調信号（前記検出信号に相当）に応じた処理を実行するものであり，以下の（４）及び（５）に示す各構成要素も備えている。
（４）複数の前記信号光検出手段のうちの１つ以上の特定の信号光検出手段について，該特定の信号光検出手段における前記二次信号強度調節手段が調節するゲインを他の１又は複数の前記信号光検出手段からの前記復調信号の出力に応じて下げるゲイン補正手段。
（５）複数の前記信号光検出手段の出力信号の論理和信号に応じた処理を実行する制御手段。
【０００８】
本発明に係る制御装置では，前記他の信号光検出手段が信号光を受光中である場合，前記ゲイン補正手段の作用により，前記特定の信号光受光手段における信号強度調節のゲインが，他の前記信号光検出手段が前記復調信号を出力するのに応じて下げられるので，そのときに前記特定の信号光検出手段にノイズ光が入射しても，そのノイズ光に対応する前記二次信号が十分に増幅されず，前記特定の信号光受光手段が，ノイズ光に対応するノイズ信号を出力してしまうことを防止できる。その結果，前記制御手段が，複数の前記信号光検出手段の出力信号の論理和信号に基づいて信号光に応じた処理を正常に実行できる。
また，本発明に係る制御装置において，前記ゲイン補正手段のより具体的な例としては，前記ゲイン補正手段が次の（６−１）及び（６−２）に示す各構成要素を備える例，或いは前記ゲイン補正手段が次の（７）に示す信号増強手段である例等が考えられる。
（６−１）前記特定の信号光検出手段における前記光電変換手段の受光部近傍に設けられた光源。
（６−２）前記光源を他の１又は複数の前記信号光検出手段からの前記復調信号の出力に応じて点灯させる光源点灯回路。
（７）前記特定の信号光検出手段における前記二次信号強度調節手段がゲイン調節のために参照する前記二次信号の強度を他の１又は複数の前記信号光検出手段からの前記復調信号の出力に応じて増強させる信号増強手段。
前記（６−１）及び（６−２）に示す例では，前記他の１又は複数の信号光検出手段が信号光を受光した場合に，前記特定の信号光検出手段において，その受光部近傍で光源を点灯させることによって前記一次信号の強度を増強し，前記二次信号強度調節手段の自動ゲイン調節機能を利用してゲインを下げる例である。
これにより，現在普及している信号光検出素子をそのまま利用して実現できる。
一方，前記（７）に示す例は，前記他の１又は複数の信号光検出手段が信号光を受光した場合に，前記特定の信号光検出手段において，前記二次信号強度調節手段が参照する前記二次信号の強度を増強し，前記二次信号強度調節手段の自動ゲイン調節機能を利用してゲインを下げる例である。この場合，前記特定の信号光検出手段は，外部からの入力信号に応じて前記二次信号の強度を補正（増強）する機能（現在普及している一般的な信号光検出素子が備えない機能）を備える必要がある。
【０００９】
ところで，前記信号光検出手段のうちの複数が，同時に信号光を受光した場合，信号光を受光した複数の前記信号光検出手段の全てにおいて，ゲインの低下により信号光に対応する正常な検出信号を出力できなくなる現象が生じる可能性がある。
そのような現象を防止するため，前記ゲイン補正手段が，前記特定の信号光検出手段により前記復調信号が出力されていない場合にのみ，前記特定の信号光検出手段における前記二次信号強度調節手段が調節するゲインを他の１又は複数の前記信号光検出手段からの前記復調信号の出力に応じて下げるものであることが
考えられる。
例えば，前記ゲイン補正手段が次の（８−１）及び（８−２）に示す各構成要素を備える例，或いは前記ゲイン補正手段が次の（９）に示す信号増強手段である例等が考えられる。
（８−１）前記特定の信号光検出手段における前記光電変換手段の受光部近傍に設けられた光源。
（８−２）前記特定の信号光検出手段により前記復調信号が出力されていない場合にのみ，前記光源を他の１又は複数の前記信号光検出手段からの前記復調信号の出力に応じて点灯させる光源点灯回路。
（９）前記特定の信号光検出手段により前記復調信号が出力されていない場合にのみ，前記特定の信号光検出手段における前記二次信号強度調節手段がゲイン調節のために参照する前記二次信号の強度を他の１又は複数の前記信号光検出手段からの前記復調信号の出力に応じて増強させる信号増強手段。
また，本発明は，以上に示した制御装置を備えた映像表示装置として捉えることもできる。前述したように，大型の映像表示部を備えた映像表示装置は，複数の信号光検出素子（信号光検出手段）を備える場合が多いので，本発明の適用対象として好適である。
【発明の効果】
【００１０】
本発明によれば，リモート操作器から出力される信号光を受光する複数の信号光検出手段を備えた制御装置において，ある特定の信号光検出手段にノイズ光が入射したときに他の信号光検出手段が既に信号光を受光中である場合でも，それら複数の信号光検出手段の出力信号の論理和信号に基づいて信号光に応じた処理を正常に実行できる。
また，本発明に係る制御装置は，特定の信号光検出手段における信号増幅のゲインを他の信号光検出手段の検出信号に応じて補正するという構成が必要になるものの，従来のリモート操作器をそのまま利用でき，その構成は，リモート操作器との間で複数種類の信号光を取り扱う場合に比べはるかに簡易な構成であり，また，前記制御手段における信号入力ポートの数及び演算負荷の増大も伴わない。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る制御装置Ｙ１，Ｙ２の適用対象となる映像表示装置Ｘの概略斜視図，図２は本発明の第１実施形態に係る制御装置Ｙ１が備える受光部の概略断面図，図３は制御装置Ｙ１の概略構成図，図４は制御装置Ｙ１が備える信号光検出素子の概略構成を表すブロック図，図５は制御装置Ｙ１における入出力信号の一例を模式的に表したタイムチャート，図６は従来の制御装置における入出力信号の一例を模式的に表したタイムチャート，図７及び図８は制御装置Ｙ１の出力信号のタイムチャート，図９は本発明の第２実施形態に係る制御装置Ｙ２の概略構成図，図１０は制御装置Ｙ２が備える信号光検出素子の概略構成を表すブロック図，図１１は制御装置Ｙ１の応用例である制御装置Ｙ１’の概略構成を表すブロック図，図１２は制御装置Ｙ２の応用例である制御装置Ｙ２’の概略構成を表すブロック図，図１３及び図１４は従来の制御装置の出力信号のタイムチャートである。
【００１２】
［第１実施形態］
まず，図１〜図４を参照しつつ，本発明の第１実施形態に係る制御装置Ｙ１及びそれを備える映像表示装置Ｘの構成について説明する。
映像表示装置Ｘは，例えば，５０インチ以上の大型の液晶表示パネルである映像表示部１を備えたテレビジョン受像機などであり，その映像表示装置Ｘに搭載される制御装置Ｙ１は，外部の操作器４（リモート操作器の一例）から送信される信号光Ｌ１を受光する信号光検出素子１１，１２を複数備え，それら複数の信号光検出素子１１，１２のうちの１つ又は複数により受光した信号光Ｌ１の変調内容に応じた処理を実行する。なお，以下に示す制御装置Ｙ１，Ｙ２は，２つの信号光検出素子１１，１２を備えるものである。以下，２つの信号光検出素子１１，１２それぞれを区別する場合，第１信号光検出素子１１及び第２信号光検出素子１２と称する。
前記信号光検出素子１１，１２は，操作器４から送信される赤外光の変調光である信号光Ｌ１を光電変換し，受光した信号光（変調光）を復調した復調信号（電気信号）を信号光の検出信号Ｓｇ１，Ｓｇ２として出力する。
前記操作器４が出力する信号光は，例えば，ピーク波長λpが９５０［ｎｍ］，波長帯が９００〜１０００［ｎｍ］である赤外光が，３８［ｋＨｚ］のキャリア周波数で強度変調された信号光等である。
前記操作器４は，複数の操作キー（操作部）が設けられており，操作されたキーに応じた強度変調がなされた赤外光である信号光を出力（送信）する。
【００１３】
図１に示すように，映像表示装置Ｘの前面は，中央から縁部にかけての大部分が大型の映像表示部１で占められ，その周囲の筐体２の部分に２つの信号光検出素子１１，１２が配置されている。ここで，前記第１信号光検出素子１１よりも前記第２信号光検出素子１２の方が上方に位置する。より具体的には，図１に示すように，前記第１信号光検出素子１１は，前記映像表示部１の下端近傍の位置（下側）に配置され，また，前記第２信号光検出素子１２は，前記映像表示部１の上端近傍の位置（上側）に配置されている。
また，図２に示すように，信号光検出素子１１，１２それぞれの受光部（後述するフォトダイオードｃ１）の近傍には，赤外光を発光する光源であって所定条件下でのみ発光するＬＥＤ２１，２２が設けられている。これにより，信号光検出素子１１，１２は，信号光Ｌ１，ノイズ光Ｌ２及びＬＥＤ２１，２２の出力光Ｌ３を受光し得る。
【００１４】
また，信号光検出素子１１，１２は，図４に示すように，フォトダイオードｃ１，アンプｃ２，自動ゲイン調節器ｃ３，リミッタｃ４，バンドパスフィルタｃ５，復調器ｃ６等を備えた従来周知のリモコン信号光（赤外変調光）検出用の半導体デバイスである。
フォトダイオードｃ１は，赤外光を受光してその赤外光を光電変換した信号Ｖｓ（以下，一次信号という）を出力する光電変換素子である（前記光電変換手段の一例）。なお，光電変換の対象となる赤外光に，操作器４から出力される信号光Ｌ１（変調された赤外光）が含まれることは言うまでもない。
フォトダイオードｃ１から出力される一次信号Ｖｓは，アンプｃ２によりその強度が可変のゲインで増幅される。以下，増幅後の信号Ｖｓ’を二次信号という。また，自動ゲイン調節器ｃ３が，二次信号Ｖｓ’を随時参照し，その信号強度（電圧）が予め定められた目標強度（目標電圧）に近づく方向にアンプｃ２のゲインを，予め定められた下限ゲインから上限ゲインまでの範囲内で自動調節する。即ち，二次信号Ｖｓ’の強度が目標強度未満であればアンプｃ２のゲインを上げ，二次信号Ｖｓ’の強度が目標強度を超えていればアンプｃ２のゲインを下げる。なお，アンプｃ２及び自動ゲイン調節器ｃ３が，前記二次信号強度調節手段の一例である。
【００１５】
さらに，自動ゲイン調節器ｃ３により信号強度が調節された二次信号Ｖｓ’は，その強度（電圧）が予め設定された強度（電圧）以上である場合にのみリミッタｃ４を通じてバンドパスフィルタｃ５に供給される。そして，バンドパスフィルタｃ５が，二次信号Ｖｓ’から信号光Ｌ１の変調周波数の信号成分を抽出し，復調器ｃ６が，バンドパスフィルタｃ５による抽出信号に予め定められた復調処理（操作器４による変調処理に対応する処理）を施すことにより，信号光Ｌ１に対応する復調信号を出力する。その復調信号は，積分器，比較器及びトランジスタ等を介して信号光Ｌ１の検出信号Ｓｇ１又はＳｇ２として出力端から出力される。ここで，信号光検出素子１１，１２の出力信号は，信号光Ｌ１が受光されていないときにＨｉｇｈレベルで保持され，信号光Ｌ１が受光されているときにその変調内容に応じてＨｉｇｈ／Ｌｏｗのレベルが変化する。なお，リミッタｃ４，バンドパスフィルタｃ５及び復調器ｃ６が前記復調手段の一例である。
以上のような構成を備えた信号光検出素子１１，１２は，その受光部（フォトダイオードｃ１）により信号光Ｌ１を受光した場合，その強度が変動しても適切に信号光に対応する検出信号Ｓｇ１，Ｓｇ２を出力し，受光部により信号光Ｌ１と特性（波長や強度変化周波数）が近似しない光を受光した場合，検出信号を出力しない（Ｈｉｇｈレベル保持）。
【００１６】
また，図３に示すように，制御装置Ｙ１は，２つの信号光検出素子１１，１２と，それら２つの信号光検出素子１１，１２それぞれに対応して設けられた２つのＬＥＤ２１，２２，２つのトランジスタ３１，３２，２つのダイオード４１，４２及び２つの反転器６１，６２（ＮＯＴ回路）と，プルアップ抵抗５と，制御部３とを備えている。
第１信号光検出素子１１の出力信号（検出信号Ｓｇ１）及び第２信号光検出素子１２の出力信号（検出信号Ｓｇ２）の各信号ラインは，それぞれダイオード４１，４２を介して合流し，合流後の信号ラインは，プルアップ抵抗５に接続されるとともに，制御部３の信号入力ポートに接続されている。これにより，制御部３には，２つの信号光検出素子１１，１２の出力信号の論理和信号Ｓｇｏ（合成信号）が入力される。
制御部３は，ＭＰＵ，そのＭＰＵにより実行されるプログラムが記憶されたメモリ（ＲＯＭ等）及びその他の周辺デバイスを備えた回路である。そして，制御部３は，２つの信号光検出素子１１，１２の出力信号の論理和信号Ｓｇｏが表す符号（信号の変化パターン）が，予めメモリに記憶（登録）された複数の登録符号のいずれかに該当する場合に，その符号（登録符号）に対応づけられた処理，例えば，チャンネル選局処理や音量調節処理などを実行する（前記制御手段の一例）。なお，登録符号と処理との対応関係を表す情報は，制御部３が備えるメモリに予め記憶されている。
【００１７】
一方のＬＥＤ２１は，第１信号光検出素子１１におけるフォトダイオードｃ１の受光部近傍に設けられ（図２参照），第１信号光検出素子１１が検出可能な波長の光（赤外光）を発光する光源である。同様に，他方のＬＥＤ２２は，第２信号光検出素子１２におけるフォトダイオードｃ１の受光部近傍に設けられ（図２参照），第２信号光検出素子１２が検出可能な波長の光（赤外光）を発光する光源である。
また，一方のトランジスタ３１は，プルアップ抵抗及びＬＥＤ２１と直列接続され，そのベース端子には第２信号光検出素子１２の出力信号が反転器６１により反転された信号（Ｈｉｇｈ信号をＬｏｗ信号へ，Ｌｏｗ信号をＨｉｇｈ信号へ反転）が供給される。そして，そのトランジスタ３１は，ＬＥＤ２１を，第２信号光検出素子１２から検出信号Ｓｇ２（復調信号）が出力されているときに（検出信号Ｓｇ２の出力に応じて）点灯させ，検出信号Ｓｇ２が出力されていないとき（Ｈｉｇｈレベルで保持されているとき）に消灯させる回路を構成している（前記光源点灯回路の一例）。
同様に，他方のトランジスタ３２は，プルアップ抵抗及びＬＥＤ２２と直列接続され，そのベース端子には第１信号光検出素子１１の出力信号が反転器６２により反転された信号が供給される。そして，そのトランジスタ３２は，ＬＥＤ２２を第１信号光検出素子１１から検出信号Ｓｇ１（復調信号）が出力されているときに（検出信号Ｓｇ２の出力に応じて）点灯させ，検出信号Ｓｇ１が出力されていないとき（Ｈｉｇｈレベルで保持されているとき）に消灯させる回路を構成している（前記光源点灯回路の一例）。
以上に示した構成を備えた制御装置Ｙ１は，第２信号光検出素子１２が信号光Ｌ１を受光した場合に，第１信号光検出素子１１（前記特定の信号光検出手段の一例）において，その受光部近傍でＬＥＤ３１を点灯させることによって前記一次信号Ｖｓの強度を増強し，前記自動ゲイン調節器ｃ３の自動ゲイン調節機能を利用してゲインを下げる。
同様に，制御装置Ｙ１は，第１信号光検出素子１１が信号光Ｌ１を受光した場合に，第２信号光検出素子１２（前記特定の信号光検出手段の一例）において，その受光部近傍でＬＥＤ３２を点灯させることによって前記一次信号Ｖｓの強度を増強し，前記自動ゲイン調節器ｃ３の自動ゲイン調節機能を利用してゲインを下げる。
なお，前記第１信号光検出素子１１を前記特定の信号光検出手段の一例として捉えた場合，前記第２信号光検出素子１２が他の前記信号光検出手段の一例となり，前記第１信号光検出素子１１に対応するＬＥＤ２１，トランジスタ３１及び反転器６１が，前記ゲイン補正手段の一例となる。同様に，前記第２信号光検出素子１２を前記特定の信号光検出手段の一例として捉えた場合，前記第１信号光検出素子１１が他の前記信号光検出手段の一例となり，前記第２信号光検出素子１２に対応するＬＥＤ２２，トランジスタ３２及び反転器６２が，前記ゲイン補正手段の一例となる。
【００１８】
続いて，図５及び図６に示すタイムチャートを参照しつつ，ＬＥＤ２１，２２及びその点灯回路（トランジスタ３１，３２等）を備えていない従来の制御装置の動作（図６）と，制御装置Ｙ１の動作（図５）とを比較説明する。なお，以下に示す例は，第１信号光検出素子１１により信号光Ｌ１が受光され，第２信号光検出素子１２によりノイズ光Ｌ２が受光される場合の例である。即ち，第２信号光検出素子１２を前記特定の信号光検出手段の一例として捉えた例である。また，ノイズ光Ｌ２は，信号光Ｌ１と特性（波長及び強度変化周波数）が近似する赤外光であるものとする。また，第２信号光検出素子１２における前記自動ゲイン調節器ｃ３による調節ゲイン（アンプｃ２に設定されたゲイン）をＧ２とする。
［従来の制御装置の動作］
まず，従来の制御装置の動作（図６）について説明する。
従来の制御装置においては，第１信号光検出素子１１は，第２信号光検出素子１２の受光状況によらず，信号光Ｌ１の受光に応じて，その信号光Ｌ１に対応した検出信号Ｓｇ１を出力する。
また，第２信号光検出素子１２は，第１信号光検出素子１１の受光状況によらず，ノイズ光Ｌ２の受光に応じて，そのノイズ光Ｌ２に対応した検出信号Ｓｇ２（ノイズ信号）を出力する。このとき，ノイズ光Ｌ２の受光に応じて第２信号光検出素子１２におけるゲインＧ２は若干下がる。
従って，第１信号光検出素子１１が信号光Ｌ１を受光中に，第２信号光検出素子１２がノイズ光Ｌ２を受光すると，２つの検出信号Ｓｇ１，Ｓｇ２の論理和信号Ｓｇｏ（合成信号）がノイズを含んだ信号となり，制御部３は正常な処理（検出信号Ｓｇ１に対応した処理）を実行できない。
【００１９】
［制御装置Ｙ１の動作］
次に，制御装置Ｙ１の動作（図５）について説明する。
制御装置Ｙ１においては，第１信号光検出素子１１は，第２信号光検出素子１２がノイズ光Ｌ２を受光していないときに信号光Ｌ１を受光した場合，その信号光Ｌ１に対応した検出信号Ｓｇ１を出力する。このとき，２つの検出信号Ｓｇ１，Ｓｇ２の論理和信号Ｓｇｏ（合成信号）はノイズを含まない信号（検出信号Ｓｇ１と同じ信号）となり，制御部３は正常な処理（検出信号Ｓｇ１に対応した処理）を実行できる。
また，第２信号光検出素子１２は，第１信号光検出素子１１が信号光Ｌ１を受光していないときにノイズ光Ｌ２を受光した場合，そのノイズ光Ｌ２に対応した検出信号Ｓｇ２（ノイズ信号）を出力する。このとき，２つの検出信号Ｓｇ１，Ｓｇ２の論理和信号Ｓｇｏ（合成信号）もノイズ信号となり，制御部３は，そのノイズ信号が正規の信号でないことを判別し，そのノイズ信号に対応する処理は実行しない。
一方，第１信号光検出素子１１が信号光Ｌ１を受光中は，検出信号Ｓｇ１の出力に応じてＬＥＤ３２が点灯し，第２信号光検出素子１２における前記一次信号Ｖｓの強度（電圧レベル）が高まるため，第２信号光検出素子１２においてゲイン自動調節器ｃ３の作用によりゲインＧ２が下がる。このため，第２信号光検出素子１２は，第１信号光検出素子１１が信号光Ｌ１を受光中にノイズ光Ｌ２を受光しても，前記二次信号Ｖｓ’の強度（電圧レベル）が復調処理の対象となる信号強度に至らず，ノイズ光Ｌ２に対応した検出信号Ｓｇ２（ノイズ信号）を出力しない（図５における波線枠の部分を参照）。
従って，第１信号光検出素子１１が信号光Ｌ１を受光中に，第２信号光検出素子１２がノイズ光Ｌ２を受光しても，２つの検出信号Ｓｇ１，Ｓｇ２の論理和信号Ｓｇｏ（合成信号）はノイズを含まない信号（検出信号Ｓｇ１と同じ信号）となり，制御部３は正常な処理（検出信号Ｓｇ１に対応した処理）を実行できる。
なお，図５には示されていないが，第２信号光検出素子１２がノイズ光Ｌ２を受光中に，第１信号光検出素子１１が信号光Ｌ１を受光した場合，第１信号光検出素子１１が，ＬＥＤ３１の点灯によって信号光Ｌ１に対応する検出信号Ｓｇ１を出力できないことが生じ得る。しかしながら，通常，ノイズ光Ｌ２は，単発的にしか受光されない（受光時間が短い）ので，第２信号光検出素子１２がノイズ光Ｌ２を受光中に，第１信号光検出素子１１が信号光Ｌ１を受光する状況が発生する確率は低く，ユーザの利便性悪化（操作器４の操作のやり直し）への影響は小さい。
【００２０】
図７及び図８は，制御装置Ｙ１の出力信号のタイムチャートであり，それぞれ従来の制御装置の出力信号が図１３及び図１４に示した変化を示す場合と同じ条件で信号光Ｌ１及びノイズ光Ｌ２が発生した場合の例である。従って，図７及び図８を，前述した図１３及び図１４それぞれと比較すれば，制御装置Ｙ１と従来の制御装置との違いを明らかになる。なお，図８は，図７に示したタイムチャートの一部の時間軸を拡大したものである。
制御装置Ｙ１においては，第２信号光検出素子１２は，ノイズの影響の少ない信号光Ｌ１を受光すると，信号光Ｌ１を復調した正規の検出信号Ｓｇ１を出力する。また，第２信号光検出素子１２は，第１信号光検出素子１１が信号光Ｌ１を受光中にノイズ光Ｌ２を受光しても，ＬＥＤ３２の点灯によりそのノイズ光Ｌ２に対応する検出信号を出力しない（Ｈｉｇｈレベルに保持されたままとなる）。従って，２つの信号光検出素子１１，１２の出力信号の論理和信号Ｓｇｏ（合成信号）は，図１２における波線の円内に示されるようなノイズ成分を含まず，信号光Ｌ１に対応する正規の復調信号（検出信号Ｓｇ１と同じ信号）となる。特に，大型の映像表示部１を備えた映像表示装置Ｘにおいては，映像表示部１の上端付近に配置される第２信号光検出素子１２が天井の照明器具に近くなり，その照明器具からのノイズ光が比較的高いパワーで第２信号光検出素子１２混入しやすいため，制御装置Ｙ１の適用対象として好適である。
【００２１】
例えば，操作器４が，映像表示装置Ｘから離れた位置で操作される場合，その信号光Ｌ１が主に下側の第１信号光検出素子１１により受光されるとすると，第１信号光検出素子１１が信号光Ｌ１を受光中において，第２信号光検出素子１２は，天井の照明器具からのノイズ光Ｌ２を受光してもノイズ信号を出力せず，制御部３は正常に処理を実行できる。このことは，操作器４が映像表示装置Ｘに近い位置で操作され，その信号光Ｌ１が下側の第１信号光検出素子１１により受光された場合も同様である。
また，操作器４が映像表示装置Ｘに近い位置で操作され，その信号光Ｌ１が上側の第２信号光検出素子１２により受光された場合，その信号光Ｌ１の強度が特に強い（受光部に至るまでの信号光Ｌ１の減衰量が小さい）ため，信号光Ｌ１を受光中の第２信号光検出素子１２にノイズ光が混入しても，十分なＳ／Ｎ比が確保され，第２信号光検出素子１２から正常な検出信号Ｓｇ２が出力される。その結果，制御部３は正常に処理を実行できる。
【００２２】
［第２実施形態］
次に，図９及び図１０に示すブロック図を参照しつつ，本発明の第２実施形態に係る制御装置Ｙ２について説明する。なお，図９及び図１０において，図１〜図４に示した前記制御装置Ｙ１の各構成要素と同じ構成要素については同じ符号が付されている。
制御装置Ｙ２も，前記制御装置Ｙ１と同様に，テレビジョン受像機等の映像表示装置Ｘ（図１参照）に搭載されることにより効果を奏するものである。
制御装置Ｙ２は，図９に示すように，２つの信号光検出素子１１’，１２’と，それら２つの信号光検出素子１１’，１２’それぞれに対応して設けられた２つの信号反転器６１，６２，２つのダイオード４１，４２と，プルアップ抵抗５と，制御部３とを備えている。以下，２つの信号光検出素子１１’，１２’それぞれを区別する場合，第１信号光検出素子１１’及び第２信号光検出素子１２’と称する。なお，２つの信号光検出素子１１’，１２’も，前記信号光検出素子１１，１２と同様に映像表示部１の周囲に配置されている（図１参照）。
２つの信号光検出素子１１’，１２’と制御部３との接続関係は，制御装置Ｙ１における２つの信号光検出素子１１，１２と制御部３との接続関係と同じである。
【００２３】
また，図１０に示すように，制御装置Ｙ２が備える信号光検出素子１１’，１２’は，図４に示した従来周知の信号光検出素子１１，１２における自動ゲイン調節器ｃ３への前記二次信号Ｖｓ’の信号入力ラインに加算器ｃ７が追加された構成を備えている。この加算器ｃ７は，前記二次信号Ｖｓ’に外部から供給される補正信号Ｃｔ１又はＣｔ２を加算し，加算した信号Ｖｓ”を自動ゲイン調節器ｃ３に対して出力する。即ち，加算器ｃ７は，入力された補正信号Ｃｔ１又はＣｔ２がＨｉｇｈ信号であれば前記二次信号Ｖｓ’の強度を所定レベルだけ増強した信号Ｖｓ”を自動ゲイン調節器ｃ３に出力し，入力された補正信号Ｃｔ１又はＣｔ２がＬｏｗ信号（電圧ゼロ）であれば前記二次信号Ｖｓ’の強度をそのまま維持した信号Ｖｓ”を自動ゲイン調節器ｃ３に出力する。
このように，制御装置Ｙ２における信号光検出素子１１’，１２’は，外部からの入力信号（補正信号Ｃｔ１，Ｃｔ２）に応じて前記二次信号Ｖｓ’の強度を補正（増強）する機能を備えている。
【００２４】
また，図９に示すように，一方の反転器６１は，第２信号光検出素子１２’の出力信号を反転させ（Ｈｉｇ信号をＬｏｗ信号（電圧ゼロ）へ，Ｌｏｗ信号（電圧ゼロ）をＨｉｇ信号へ），反転後の信号を前記補正信号Ｃｔ１として第１信号光検出素子１１’に供給する。同様に，他方の反転器６２は，第１信号光検出素子１１’の出力信号を反転させ（Ｈｉｇｈ信号をＬｏｗ信号へ，Ｌｏｗ信号をＨｉｇｈ信号へ），反転後の信号を前記補信号Ｃｔ２として第２信号光検出素子１２’に供給する。なお，各反転器６１，６２は，補正信号Ｃｔ１，Ｃｔ２としてＨｉｇｈ信号を出力する場合，そのＨｉｇｈ信号を予め定められた強度（電圧レベル）に調節して出力する。また，各反転器６１，６２は，信号光Ｌ１に対応する検出信号Ｓｇ１，Ｓｇ２のＯＮ／ＯＦＦ変化の周期よりも応答が遅いため，信号光Ｌ１に対応する検出信号Ｓｇ１，Ｓｇ２が出力されている間はＨｉｇｈ信号の出力を保持する。
即ち，第１信号光検出素子１１’を前記特定の信号光検出手段の一例として捉えた場合，第１信号光検出素子１１’における加算器ｃ７及び一方の反転器６１が，第１信号光検出素子１１’における自動ゲイン調節器ｃ３がゲイン調節のために参照する前記二次信号Ｖｓ”の強度を，第２信号光検出素子１２’からの検出信号Ｓｇ２（復調信号）の出力に応じて増強させる前記信号増強手段の一例である。
同様に，第２信号光検出素子１２’を前記特定の信号光検出手段の一例として捉えた場合，第２信号光検出素子１２’における加算器ｃ７及び他方の反転器６２が，第２信号光検出素子１２’における自動ゲイン調節器ｃ３がゲイン調節のために参照する前記二次信号Ｖｓ”の強度を，第１信号光検出素子１１’からの検出信号Ｓｇ１（復調信号）の出力に応じて増強させる前記信号増強手段の一例である。
【００２５】
以上に示した制御装置Ｙ２は，第２信号光検出素子１２’が信号光Ｌ１を受光した場合に，第１信号光検出素子１１’において，自動ゲイン調節器ｃ３が参照する前記二次信号Ｖｓ”の強度を増強し，自動ゲイン調節器ｃ３の自動ゲイン調節機能を利用して第１信号光検出素子１１’におけるゲインを下げる。
同様に，制御装置Ｙ２は，第１信号光検出素子１１’が信号光Ｌ１を受光した場合に，第２信号光検出素子１２’において，自動ゲイン調節器ｃ３が参照する前記二次信号Ｖｓ”の強度を増強し，自動ゲイン調節器ｃ３の自動ゲイン調節機能を利用して第２信号光検出素子１２’におけるゲインを下げる。
このような制御装置Ｙ２によっても，前記制御装置Ｙ１と同様の作用効果が得られる。
【００２６】
以上に示した実施形態は，２つの信号光検出素子１１及び１２（１１’及び１２’）それぞれについて，当該信号光検出素子（１１又は１２）における自動ゲイン調節器ｃ３が調節するゲインを他の信号光検出素子（１２又は１１）からの検出信号（Ｓｇ２又はＳｇ１：復調信号）の出力に応じて下げる機能（ゲイン補正機能）を備える制御装置Ｙ１，Ｙ２について示した。
しかしながら，例えば，家庭で利用される大型の映像表示装置においては，天井（照明器具）に近い上側の信号光検出素子（前記第２信号光検出素子１２，１２’）においては比較的強いノイズ光が受光されやすいが，下側の信号光検出素子（前記第１信号光検出素子１１，１１’）においてはノイズ光の影響をほとんど考慮しなくてもよいという場合も考えられる。そのような場合，複数の信号光検出素子のうち，比較的強いノイズ光を受光しやすい特定の信号光検出素子（例えば，前記第２信号光検出素子１２，１２’）に対してのみ，そのゲインを他の信号光検出素子（例えば，前記第１信号光検出素子１１又は１１’）からの検出信号Ｓｇ１の出力に応じて下げる機能を備えた制御装置も考えられる。例えば，図３に示した制御装置Ｙ１の構成から，一方のＬＥＤ２１及びトランジスタ３１が除かれた制御装置や，図９に示した制御装置Ｙ２の構成から，一方の反転器６１及び第１信号光検出素子１１’における加算器ｃ７が除かれた制御装置等が考えられる。
【００２７】
また，以上に示した実施形態は，信号光検出素子が２つである場合の例であったが，本発明は，信号光検出素子が３つ以上である場合にも適用可能である。
例えば，図３に示す制御装置Ｙ１を３つの信号光検出素子（第１信号光検出素子１１，第２信号光検出素子１２及び第３信号光検出素子１３）を備えた制御装置に応用した場合を考える。
この場合，例えば，第１信号光検出素子１１に対応するトランジスタ３１のベース端子に，第２信号光検出素子１２の検出信号Ｓｇ２と第３信号光検出素子１３の検出信号Ｓｇ３（不図示）との論理和信号（合成信号）を供給する。同様に，第２信号光検出素子１２に対応するトランジスタ３２のベース端子に，第１信号光検出素子１１の検出信号Ｓｇ１と第３信号光検出素子１３の検出信号Ｓｇ３（不図示）との論理和信号（合成信号）を供給し，第３信号光検出素子１３に対応するトランジスタ３３のベース端子（不図示）に，第１信号光検出素子１１の検出信号Ｓｇ１と第２信号光検出素子１２の検出信号Ｓｇ２との論理和信号（合成信号）を供給する。信号光検出素子が４つ以上であっても同様である。
また，図９に示す制御装置Ｙ２を３つ以上の信号光検出素子を備えた制御装置に応用した場合，３つ以上の信号光検出素子それぞれについて，当該信号光検出素子に入力される補正信号として，その他の信号光検出素子それぞれの出力信号の反転信号の論理和信号が入力されるように構成すればよい。
以上に示した構成を備えた制御装置では，複数の信号光検出素子のうち，いずれか１つの信号光検出素子が信号光Ｌ１を受光してその検出信号を出力している最中は，その他の全ての信号光検出素子において，前記自動ゲイン調節器ｃ３による調節ゲインが下がるため，ノイズ光を受光してもそのノイズ光に対応する検出信号（ノイズ信号）を出力しない。その結果，前記制御装置Ｙ１，Ｙ２と同様の作用効果が得られる。
【００２８】
また，前記制御装置Ｙ１，Ｙ２は，２つの信号光検出素子１１及び１２（１１’及び１２’）が同時又はほぼ同時に信号光Ｌ１を受光すると，両方の信号光検出素子１１及び１２（１１’及び１２’）が，ゲインが下がるために正常な検出信号を出力できなくなる現象が生じる可能性がある。
そのような現象を防止するため，前記制御装置Ｙ１の応用例である制御装置Ｙ１’（図１１参照）や，前記制御装置Ｙ２の応用例である制御装置Ｙ２（図１２）を採用することが考えられる。
図１１に示す制御装置Ｙ１’が前記制御装置Ｙ１と異なる点は，第１信号光検出素子１１に対応する前記トランジスタ３１のベース端子が，ダイオード７１ａ，７１ｂそれぞれを介して，第１信号光検出素子１１の出力信号ラインと，第２信号光検出素子１２の出力信号の反転信号のラインとの両方に接続されており，また，第２信号光検出素子１２に対応する前記トランジスタ３２のベース端子が，ダイオード７２ａ，７２ｂそれぞれを介して，第２信号光検出素子１２の出力信号ラインと，第１信号光検出素子１１の出力信号の反転信号のラインとの両方に接続されている点である。さらに，制御装置Ｙ１’には，前記トランジスタ３１，３２のゲート電圧が不定となることを防ぐためのプルアップ抵抗９１，９２が設けられている。
即ち，制御装置Ｙ１’における前記トランジスタ３１は，第１信号光検出素子１１に対応するＬＥＤ２１を，第１信号光検出素子１１により検出信号Ｓｇ１（復調信号）が出力されており（Ｈｉｇｈレベルに保持されている），かつ，第２信号光検出素子１２により検出信号Ｓｇ２（復調信号）が出力されている場合にのみ点灯させ，その他の場合に消灯させる（前記光源点灯回路の一例）。
この制御装置Ｙ１’は，２つの信号光検出素子１１及び１２が同時又はほぼ同時に信号光Ｌ１を受光した場合，両方の信号光検出素子１１及び１２が，信号光Ｌ１に対応する正常な検出信号を出力し，それらの論理和信号Ｓｇｏも正常な信号となる。さらに，前記制御装置Ｙ１と同様の作用効果も奏する。
なお，前記第１信号光検出素子１１を前記特定の信号光検出手段の一例として捉えた場合，前記第１信号光検出素子１１に対応するＬＥＤ２１，トランジスタ３１，反転器６１及びダイオード７１ａ，７１ｂが，前記ゲイン補正手段の一例となる。同様に，前記第２信号光検出素子１２を前記特定の信号光検出手段の一例として捉えた場合，前記第２信号光検出素子１２に対応するＬＥＤ２２，トランジスタ３２，反転器６２及びダイオード７２ａ，７２ｂが，前記ゲイン補正手段の一例となる。
【００２９】
また，図１２に示すように，前記制御装置Ｙ２の応用例である制御装置Ｙ２’が，前記制御装置Ｙ２と異なる点は，第１信号光検出素子１１’に入力される補正信号Ｃｔ１が，第１信号光検出素子１１’の出力信号と，第２信号光検出素子１２’の出力信号の反転信号との論理積（ＡＮＤ）信号であり，また，第２信号光検出素子１２’に入力される補正信号Ｃｔ２が，第２信号光検出素子１２’の出力信号と，第１信号光検出素子１１’の出力信号の反転信号との論理積（ＡＮＤ）信号である点である。なお，図１２に示す論理積演算器８１，８２は，それぞれ補正信号Ｃｔ１，Ｃｔ２（論理積信号）を生成するためのものである。
即ち，制御装置Ｙ２’において，第１信号光検出素子１１’の前記加算器ｃ４（図１０参照），反転器６１及び論理積演算器８１は，第１信号光検出素子１１’により検出信号Ｓｇ１（復調信号）が出力されていない場合にのみ，第１信号検出素子１１’における前記自動ゲイン調節器ｃ３がゲイン調節のために参照する前記二次信号Ｖｓ”（図１０参照）の強度を，第２信号光検出素子１２’からの検出信号Ｓｇ２（復調信号）の出力に応じて増強させる前記信号増強手段の一例である。
また，制御装置Ｙ２’において，第２信号光検出素子１２’の前記加算器ｃ４（図１０参照），反転器６２及び論理積演算器８２は，第２信号光検出素子１２’により検出信号Ｓｇ２（復調信号）が出力されていない場合にのみ，第２信号検出素子１２’における前記自動ゲイン調節器ｃ３がゲイン調節のために参照する前記二次信号Ｖｓ”（図１０参照）の強度を，第１信号光検出素子１１’からの検出信号Ｓｇ１（復調信号）の出力に応じて増強させる前記信号増強手段の一例である。
この制御装置Ｙ２’も，２つの信号光検出素子１１’及び１２’が同時又はほぼ同時に信号光Ｌ１を受光した場合，両方の信号光検出素子１１’及び１２’が，信号光Ｌ１に対応する正常な検出信号を出力し，それらの論理和信号Ｓｇｏも正常な信号となる。さらに，前記制御装置Ｙ１，Ｙ２と同様の作用効果も奏する。
【００３０】
また，前記制御装置Ｙ１，Ｙ２は，ある信号光検出素子について，他の信号光検出素子による検出信号の出力に応じてゲインを下げる処理を，前記自動ゲイン調節器ｃ３のゲイン調節機能を利用することにより実現するものであったが，これに限るものではない。
例えば，前記自動ゲイン調節器ｃ３に，前記補正信号Ｃｔ１又はＣｔ２に相当する外部からの入力信号に応じて，一時的にゲインを下げる割り込み処理機能を付加すること等も考えられる。
【産業上の利用可能性】
【００３１】
本発明は，リモート操作器から出力される信号光に応じた処理を実行する制御装置及びそれを備えた映像表示装置等に利用可能である。
【図面の簡単な説明】
【００３２】
【図１】本発明の実施形態に係る制御装置Ｙ１，Ｙ２の適用対象となる映像表示装置Ｘの概略斜視図。
【図２】本発明の第１実施形態に係る制御装置Ｙ１が備える受光部の概略断面図。
【図３】制御装置Ｙ１の概略構成図。
【図４】制御装置Ｙ１が備える信号光検出素子の概略構成を表すブロック図。
【図５】制御装置Ｙ１における入出力信号の一例を模式的に表したタイムチャート。
【図６】従来の制御装置における入出力信号の一例を模式的に表したタイムチャート。
【図７】制御装置Ｙ１の出力信号のタイムチャート（１）。
【図８】制御装置Ｙ１の出力信号のタイムチャート（２）。
【図９】本発明の第２実施形態に係る制御装置Ｙ２の概略構成図。
【図１０】制御装置Ｙ２が備える信号光検出素子の概略構成を表すブロック図。
【図１１】制御装置Ｙ１の応用例である制御装置Ｙ１’の概略構成を表すブロック図。
【図１２】制御装置Ｙ２の応用例である制御装置Ｙ２’の概略構成を表すブロック図。
【図１３】従来の制御装置の出力信号のタイムチャート（１）。
【図１４】従来の制御装置の出力信号のタイムチャート（２）。
【符号の説明】
【００３３】
Ｘ  ：映像表示装置
Ｙ１，Ｙ２，Ｙ１’，Ｙ２’：制御装置
１  ：映像表示部
２  ：筐体
３  ：制御部
４  ：操作器（リモート操作器）
５  ：プルアップ抵抗
１１：第１信号光検出素子
１２：第２信号光検出素子
２１，２２：ＬＥＤ
３１，３２：トランジスタ
４１，４２：ダイオード
６１，６２：反転器
ｃ１：フォトダイオード
ｃ２：アンプ
ｃ３：自動ゲイン調節器
ｃ４：リミッタ
ｃ５：バンドパスフィルタ
ｃ６：復調器
【図１】
2009100310.tif 000003
【図２】
2009100310.tif 000004
【図３】
2009100310.tif 000005
【図４】
2009100310.tif 000006
【図５】
2009100310.tif 000007
【図６】
2009100310.tif 000008
【図７】
2009100310.tif 000009
【図８】
2009100310.tif 000010
【図９】
2009100310.tif 000011
【図１０】
2009100310.tif 000012
【図１１】
2009100310.tif 000013
【図１２】
2009100310.tif 000014
【図１３】
2009100310.tif 000015
【図１４】
2009100310.tif 000016